(57)【特許請求の範囲】
【請求項１】
上部基板と下部基板との間に液晶が充填された状態で密封されるパネルを含むディスプレイユニットと、前記ディスプレイユニットを支持するためのガイドフレームとを含み、
前記ガイドフレームは、前記パネルの側面をガイドするためのガイド側壁と、前記パネルを支持するためのパネル支持部とを含み、
前記パネル支持部を構成する第１パネル支持部、第２パネル支持部、第３パネル支持部及び第４パネル支持部のうち第１パネル支持部の上端または下端に形成された空間には、カメラが取り付けられるカメラ収納部が形成され、前記上部基板のうち前記第１パネル支持部に載置される第１非表示領域に形成されたブラックマトリックスには、前記カメラに光が透過できるよう透過孔が形成され、前記液晶は、前記パネルの表示領域及び前記第１非表示領域に充填され、前記第１ないし第４パネル支持部は、前記ガイド側壁の４つの角からそれぞれ突出して互いに対向していることを特徴とする、ディスプレイ装置。
【請求項２】
前記ブラックマトリックスには、共通電極が形成されており、前記透過孔は、前記ブラックマトリックスと前記共通電極が共にエッチングされて形成されることを特徴とする、請求項１に記載のディスプレイ装置。
【請求項３】
前記第１非表示領域の外郭には、前記上部基板と下部基板を密封させるためのシールが形成されていることを特徴とする、請求項１に記載のディスプレイ装置。
【請求項４】
前記第１パネル支持部には、前記透過孔と対応するカメラ穴が形成されていることを特徴とする、請求項１に記載のディスプレイ装置。
【請求項５】
上部基板と下部基板との間に液晶が充填された状態で密封されるパネルを含むディスプレイユニットと、前記ディスプレイユニットを支持するためのガイドフレームとを含み、
前記ガイドフレームは、前記パネルの側面をガイドするためのガイド側壁と、前記パネルを支持するためのパネル支持部とを含み、
前記パネル支持部を構成する第１パネル支持部、第２パネル支持部、第３パネル支持部及び第４パネル支持部のうち第１パネル支持部の上端または下端に形成された空間には、カメラが取り付けられるカメラ収納部が形成され、前記上部基板のうち前記第１パネル支持部に載置される第１非表示領域に形成されたブラックマトリックスには、前記カメラに光が透過できるよう透過孔が形成され、前記パネルの表示領域と前記第１非表示領域との間には第１シールが形成され、前記液晶は、前記表示領域にのみ充填され、前記第１ないし第４パネル支持部は、前記ガイド側壁の４つの角からそれぞれ突出して互いに対向していることを特徴とする、ディスプレイ装置。
【請求項６】
前記第１非表示領域のうち前記透過孔の周辺には、少なくとも一つ以上のカラムスペーサが形成されていることを特徴とする、請求項５に記載のディスプレイ装置。
【請求項７】
前記カラムスペーサは、前記上部基板の表示領域に形成されるカラムスペーサと同一の工程を通じて形成されることを特徴とする、請求項６に記載のディスプレイ装置。
【請求項８】
上部基板と下部基板との間に液晶が充填された状態で密封されるパネルを含むディスプレイユニットと、前記ディスプレイユニットを支持するためのガイドフレームとを含み、
前記上部基板のうち第１非表示領域に形成されたブラックマトリックスには、前記パネルの下端に装着されるカメラに光が透過できるよう透過孔が形成され、
前記第１非表示領域は、前記透過孔が形成されている透過部と前記透過部以外の空間である真空部とに区分され、前記透過部は、前記パネルの表示領域と前記第１非表示領域との境界に形成されている第１シールによって密封されて、前記真空部と隔離されており、前記透過部には充填物質が充填されていることを特徴とする、ディスプレイ装置。
【請求項９】
前記第１シールの一部分は、前記第１シールと向かい合う方向で前記非表示領域の外郭を密封させる第２シール方向に折り曲がって、前記透過部を取り囲んでおり、前記第１シールは、前記透過部と前記表示領域の境界にも形成されていることを特徴とする、請求項８に記載のディスプレイ装置。
【請求項１０】
前記透過部は、
前記第１シールと、前記第２シールの一部分によって密封されて、前記真空部と隔離されることを特徴とする、請求項９に記載のディスプレイ装置。
【請求項１１】
前記透過部は、
前記第１シールのみによって密封されて、前記真空部と隔離されることを特徴とする、請求項９に記載のディスプレイ装置。
【請求項１２】
前記第１シールの一部分は、前記第１シールと向かい合う方向で前記非表示領域の外郭を密封させる第２シール方向に折り曲がって、前記透過部を取り囲んでおり、前記第１シールは、前記透過部と前記表示領域との境界にも形成されていることを特徴とする、請求項８に記載のディスプレイ装置。
【請求項１３】
前記充填物質は、１．３乃至１．７の間の屈折率を有する固体、液体または気体状態の物質であることを特徴とする、請求項１２に記載のディスプレイ装置。
【請求項１４】
前記充填物質は、液晶であることを特徴とする、請求項１２に記載のディスプレイ装置。
【請求項１５】
前記充填物質は、前記表示領域で前記上部基板と下部基板との間のセルギャップを維持するカラムスペーサと共に形成される透過孔カラムスペーサであることを特徴とする、請求項１２に記載のディスプレイ装置。
【請求項１６】
前記ブラックマトリックスには、共通電極が形成されており、前記透過孔は、前記ブラックマトリックスと前記共通電極が共にエッチングされて形成されることを特徴とする、請求項８に記載のディスプレイ装置。
【請求項１７】
前記ガイドフレームは、
前記パネルの側面をガイドするためのガイド側壁と、
前記パネルを支持するためのパネル支持部と、を含む、請求項８に記載のディスプレイ装置。
【請求項１８】
上部基板と下部基板との間に液晶が充填された状態で密封されるパネルを含むディスプレイユニットと、前記ディスプレイユニットを支持するために、ガイド側壁とパネル支持部とで形成されるガイドフレームと、を含み、
前記上部基板のうち第１非表示領域に形成されたブラックマトリックスには、前記パネルの下端に装着されるカメラに光が透過できるよう透過孔が形成され、
前記パネルの表示領域と前記第１非表示領域との境界には、第１シールが形成され、前記透過孔には、前記上部基板と下部基板との間のセルギャップを維持するカラムスペーサと共に形成される透過孔カラムスペーサが形成されていることを特徴とする、ディスプレイ装置。
【請求項１９】
前記第１非表示領域の外郭には、前記第１シールと向かい合う方向で前記第１非表示領域の外郭を密封させる第２シールが形成されていることを特徴とする、請求項５または１８に記載のディスプレイ装置。
【請求項２０】
前記パネル支持部を構成する第１パネル支持部、第２パネル支持部、第３パネル支持部及び第４パネル支持部のうち第１パネル支持部の上端または下端に形成された空間には、カメラが取り付けられるカメラ収納部が形成されており、前記第１非表示領域は、前記第１パネル支持部に載置され、前記第１ないし第４パネル支持部は、前記ガイド側壁の４つの角からそれぞれ突出して互いに対向していることを特徴とする、請求項１８に記載のディスプレイ装置。
【請求項２１】
前記第１パネル支持部の断面の形状は、
Ｕ字状に形成されていることを特徴とする、請求項５または１８に記載のディスプレイ装置。
【請求項２２】
前記第１パネル支持部の断面の形状は、
逆Ｕ字状と反対である逆Ｕ字状に形成されており、前記第１パネル支持部には、前記透過孔と対応するカメラ穴が形成されていることを特徴とする、請求項５または１８に記載のディスプレイ装置。
【請求項２３】
第１非表示領域にブラックマトリックスが形成されている上部基板と、
表示領域に複数の画素が形成されており、前記上部基板と液晶層を介して接合する下部基板と、を含み、
前記第１非表示領域に形成されたブラックマトリックスには、前記下部基板の下端に装着されるカメラに光が透過できるよう透過孔が形成され、
前記第１非表示領域と前記表示領域との境界には、第１シールが形成されており、前記第１シールの一部分は、前記第１シールと向かい合う方向で前記非表示領域の外郭を密封させる第２シール方向に折り曲がっており、前記透過孔が形成されている透過部を前記第１非表示領域うち前記透過部以外の空間である真空部と隔離させており、前記透過部には充填物質が充填されていることを特徴とする、ディスプレイ装置。
【請求項２４】
前記透過孔と前記表示領域は貫通しており、前記透過部には前記表示領域に注入された液晶が充填されることを特徴とする、請求項２３に記載のディスプレイ装置。
【請求項２５】
前記第１シールは、
前記透過部と前記表示領域との境界にも形成されていることを特徴とする、請求項２３に記載のディスプレイ装置。
【請求項２６】
前記充填物質は、１．３乃至１．７の間の屈折率を有する固体、液体または気体状態の物質であることを特徴とする、請求項２５に記載のディスプレイ装置。
【発明の詳細な説明】
【技術分野】
【０００１】
本発明は、ディスプレイ装置に係り、特に、カメラが内蔵されているボーダーレスタイプのディスプレイ装置に関するものである。
【背景技術】
【０００２】
最近、陰極線管（Ｃａｔｈｏｄｅ  Ｒａｙ  Ｔｕｂｅ）の短所である重さと体積を減らすことができる各種平板状のディスプレイ装置が開発されている。このような平板ディスプレイ装置としては、液晶表示装置（Ｌｉｑｕｉｄ  Ｃｒｙｓｔａｌ  Ｄｉｓｐｌａｙ  Ｄｅｖｉｃｅ）、プラズマディスプレイパネル（Ｐｌａｓｍａ  Ｄｉｓｐｌａｙ  Ｐａｎｅｌ）、電界放出表示装置（Ｆｉｅｄ  Ｅｍｉｓｓｉｏｎ  Ｄｉｓｐｌａｙ  Ｄｅｖｉｃｅ）、発光表示装置（Ｌｉｇｈｔ  Ｅｍｉｔｔｉｎｇ  Ｄｉｓｐｌａｙ  Ｄｅｖｉｃｅ）などが活発に研究されているが、量産化技術、駆動手段の容易性、高画質の具現という長所によって液晶表示装置が注目を集めている。
【０００３】
最近は、これら平板ディスプレイ装置の技術的な面の研究開発とともに、ユーザーによりアピールできる製品のデザイン的な面での研究開発の必要性が特に著しくなっている。そのため、ディスプレイ装置の厚さを最小化（スリム化）する努力が継続されており、ユーザーの美的感覚に訴えて購買を刺激することができる美しさの増したデザインに対するニーズが漸増している。
【０００４】
しかし、これまで行われてきたディスプレイ装置のスリム化または美感増進のためのデザインの開発は、従来のディスプレイ装置を構成する構成要素をそのまま採用しつつ、その構成要素の構造を変える方式であった。そのため、ディスプレイ装置のスリム化や新しいデザインを開発するにおいて、ある程度限界がある。
【０００５】
例えば、液晶表示装置の場合は、従来は、パネルとバックライトユニットを収容するために、下部ケースと上部ケースが必ず使用された。また、ノートパソコン、モニタ、モバイル機器またはテレビなどとして製品化するために、別途の前面セットカバーと後面セットカバーが追加的に使用された。
【０００６】
このように、下部ケースと上部ケース、及びこれに加えて、製品の前面及び後面セットカバーが必ず使用されるため、液晶表示装置の厚さを減らしたり、デザインを変更するのに限界があった。特に、上部ケース及び前面セットカバーは、液晶ディスプレイパネルの上部の縁を必ず覆うことになるので、それによって、液晶表示装置の幅が増さざるを得ず、また、液晶表示装置の枠の幅が増し、枠の段差によって多様で革新的なデザインを考案するのに障害になっている。
【０００７】
また、最近は画像チャット、画像会議などのためのカメラが内蔵されたノートパソコンが製品として発売されている。これによって、カメラの設置のための別途の空間が必要になるので、ノートパソコン画面の枠の幅がさらに増し、枠部分の段差によって多様で革新的なデザインを考案するのに障害になっている。
【０００８】
一方、前記のような問題を解決するための方法として、ディスプレイ装置の平面に段差がない多様な形態のディスプレイ装置が開発されている。
【０００９】
このようなディスプレイ装置のうち、特に、パネルの下端にカメラが装着されている場合、パネルの上部基板の上に蒸着されているブラックマトリックスのうちカメラと対応する位置には、ブラックマトリックスが除去された状態の透過孔が形成されているので、ディスプレイ装置の外部の光がブラックマトリックスの影響を受けずに、カメラに流入するようにしている。
【００１０】
しかし、前記のような従来の技術では、透過孔の周辺のブラックマトリックスと下部基板との間に空間が形成されることによって、外圧によって上部基板が押される場合、透過孔の周辺に陥没現象が発生し、したがって、透過孔と隣接している表示領域にムラが生じるという問題点が発生している。
【００１１】
また、前記のような従来の技術では、透過孔の周辺のブラックマトリックスと下部基板との間に真空状態の空き空間が形成されることによって、ガラス材質の上部基板及び透過孔を通過した光の回折によって、カメラで撮影されたイメージ上に同心円状の回折パターンが生じるという問題点が発生している。
【発明の概要】
【発明が解決しようとする課題】
【００１２】
本発明は、前述した問題点を解決するためのもので、パネルのうちカメラと対応する部分に透過孔が形成されている非表示領域まで液晶を注入させた、ディスプレイ装置を提供することを技術的課題とする。
【００１３】
また、本発明は、前述した問題点を解決するためのもので、パネルの表示領域と、パネルのうちカメラと対応する部分に透過孔が形成されている非表示領域との間にシールが形成されており、表示領域にのみ液晶が充填されている、ディスプレイ装置を提供することを技術的課題とする。
【００１４】
また、本発明は、前述した問題点を解決するためのもので、パネルのうちカメラと対応する部分に透過孔が形成されている非表示領域に、上部基板の陥没を防止するためのカラムスペーサが形成されている、ディスプレイ装置を提供することを技術的課題とする。
【００１５】
また、本発明は、前述した問題点を解決するためのもので、パネルの非表示領域のうちカメラと対応するように透過孔が形成されている透過部をシールにより密封し、その内部を液体、固体、気体のうちいずれか一つの充填物質によって充填させた、ディスプレイ装置を提供することを技術的課題とする、
【課題を解決するための手段】
【００１６】
前記目的を達成するための本発明によるディスプレイ装置は、上部基板と下部基板との間に液晶が充填された状態で密封されるパネルを含むディスプレイユニットと、前記ディスプレイユニットを支持するためのガイドフレームとを含み、前記ガイドフレームは、前記パネルの側面をガイドするためのガイド側壁と、前記パネルを支持するためのパネル支持部とを含み、前記パネル支持部を構成する第１パネル支持部、第２パネル支持部、第３パネル支持部及び第４パネル支持部のうち第１パネル支持部の上端または下端に形成された空間には、カメラが取り付けられるカメラ収納部が形成され、前記上部基板のうち前記第１パネル支持部に載置される第１非表示領域に形成されたブラックマトリックスには、前記カメラに光が透過できるよう透過孔が形成され、前記液晶は、前記パネルの表示領域及び前記第１非表示領域に充填され、前記第１ないし第４パネル支持部は、前記ガイド側壁の４つの角からそれぞれ突出して互いに対向していることを特徴とする。
また、本発明による他のディスプレイ装置は、上部基板と下部基板との間に液晶が充填された状態で密封されるパネルを含むディスプレイユニットと、前記ディスプレイユニットを支持するためのガイドフレームとを含み、前記ガイドフレームは、前記パネルの側面をガイドするためのガイド側壁と、前記パネルを支持するためのパネル支持部とを含み、前記パネル支持部を構成する第１パネル支持部、第２パネル支持部、第３パネル支持部及び第４パネル支持部のうち第１パネル支持部の上端または下端に形成された空間には、カメラが取り付けられるカメラ収納部が形成され、前記上部基板のうち前記第１パネル支持部に載置される第１非表示領域に形成されたブラックマトリックスには、前記カメラに光が透過できるよう透過孔が形成され、前記パネルの表示領域と前記第１非表示領域との間には第１シールが形成され、前記液晶は、前記表示領域にのみ充填され、前記第１ないし第４パネル支持部は、前記ガイド側壁の４つの角からそれぞれ突出して互いに対向していることを特徴とする。
また、本発明による他のディスプレイ装置は、上部基板と下部基板との間に液晶が充填された状態で密封されるパネルを含むディスプレイユニットと、前記ディスプレイユニットを支持するためのガイドフレームとを含み、前記上部基板のうち第１非表示領域に形成されたブラックマトリックスには、前記パネルの下端に装着されるカメラに光が透過できるよう透過孔が形成され、前記第１非表示領域は、前記透過孔が形成されている透過部と前記透過部以外の空間である真空部とに区分され、前記透過部は、前記パネルの表示領域と前記第１非表示領域との境界に形成されている第１シールによって密封されて、前記真空部と隔離されており、前記透過部には充填物質が充填されていることを特徴とする。
また、本発明による他のディスプレイ装置は、上部基板と下部基板との間に液晶が充填された状態で密封されるパネルを含むディスプレイユニットと、前記ディスプレイユニットを支持するために、ガイド側壁とパネル支持部とで形成されるガイドフレームと、を含み、前記上部基板のうち第１非表示領域に形成されたブラックマトリックスには、前記パネルの下端に装着されるカメラに光が透過できるよう透過孔が形成され、前記パネルの表示領域と前記第１非表示領域との境界には、第１シールが形成され、前記透過孔には、前記上部基板と下部基板との間のセルギャップを維持するカラムスペーサと共に形成される透過孔カラムスペーサが形成されていることを特徴とする。
さらに、本発明による他のディスプレイ装置は、第１非表示領域にブラックマトリックスが形成されている上部基板と、表示領域に複数の画素が形成されており、前記上部基板と液晶層を介して接合する下部基板と、を含み、前記第１非表示領域に形成されたブラックマトリックスには、前記下部基板の下端に装着されるカメラに光が透過できるよう透過孔が形成され、前記第１非表示領域と前記表示領域との境界には、第１シールが形成されており、前記第１シールの一部分は、前記第１シールと向かい合う方向で前記非表示領域の外郭を密封させる第２シール方向に折り曲がっており、前記透過孔が形成されている透過部を前記第１非表示領域うち前記透過部以外の空間である真空部と隔離させており、前記透過部には充填物質が充填されていることを特徴とする。
【発明の効果】
【００１８】
前記のような本発明によれば、次のような効果がある。
【００１９】
すなわち、本発明は、パネルのうちカメラと対応する部分に透過孔が形成されている非表示領域まで液晶を注入したり、または、パネルのうちカメラと対応する部分に透過孔が形成されている非表示領域に、上部基板の陥没を防止するためのカラムスペーサを形成したりすることによって、透過孔の周辺の上部基板の陥没を防止して、表示領域のムラの発生を防止できるという効果を提供する。
【００２０】
また、本発明は、パネルの非表示領域のうちカメラと対応するように透過孔が形成されている透過部をシールにより密封し、その内部を液体、固体、気体のうちいずれか一つの充填物質によって充填させて、透過孔が形成された透過部の内部屈折率を基板の屈折率とほぼ同一に形成することによって、透過孔の周辺での回折現象を防止して、カメラによって撮影されたイメージ上での回折パターンの発生を防止できるという優れた効果を提供する。
【図面の簡単な説明】
【００２１】
【図１】本発明によるディスプレイ装置が適用されるノートパソコンの一例示図である。
【図２】本発明によるディスプレイ装置を概略的に説明するための断面図である。
【図３】本発明の第１実施例によるディスプレイ装置の細部断面図である。
【図４】本発明の第２実施例によるディスプレイ装置の細部断面図である。
【図５】本発明によるディスプレイ装置の底面を示す平面図である。
【図６】本発明の第３実施例によるディスプレイ装置の細部断面図である。
【図７】本発明によるディスプレイ装置に適用されるパネルの平面図である。
【図８】本発明によるディスプレイ装置の細部断面図である。
【図９】本発明によるディスプレイ装置のパネルに形成される第１シールの例示図である。
【図１０】本発明によるディスプレイ装置のパネルに形成される第１シールの例示図である。
【図１１】本発明によるディスプレイ装置のパネルに形成される第１シールの例示図である。
【図１２】本発明によるディスプレイ装置のパネルに形成される第１シールの例示図である。
【図１３】本発明によるディスプレイ装置のパネルに形成される第１シールの例示図である。
【図１４】本発明によるディスプレイ装置のまた他の細部断面図である。
【図１５】本発明によるディスプレイ装置に適用されるパネルのまた他の平面図である。
【図１６】本発明によるディスプレイ装置のまた他の細部断面図である。
【発明を実施するための形態】
【００２２】
以下、添付の図面を参照して、本発明の好ましい実施例について詳細に説明する。
【００２３】
図１は、本発明によるディスプレイ装置が適用されるノートパソコンの一例示図である。
【００２４】
本発明によるディスプレイ装置１０は、ノートパソコンなどの小型端末機に装着されて用いられるもので、特に、小型端末機を用いるユーザーの映像を収集できるカメラ４００がパネルの下部に内蔵されているという特徴を有している。
【００２５】
また、本発明によるディスプレイ装置１０はボーダーレス（Ｂｏｒｄｅｒｌｅｓｓ）を具現するために、外観を形成する平面が、段差なしに平らに形成されているという特徴を有している。
【００２６】
すなわち、前記のような機能を遂行するための本発明によるディスプレイ装置１０は、図１に示すように、小型端末機であるノートパソコンのモニタとして機能することができる。一方、このようなモニタは、セットカバー１００がディスプレイ装置１０を取り囲んでいる形態で構成され、セットカバー１００とディスプレイ装置の平面には段差がないという特徴を有している。
【００２７】
一方、本発明によるディスプレイ装置１０は、前記のように、その平面に段差がないように形成することができるが、セットカバーの端部が平面の外郭を狭いベゼル（Ｎａｒｒｏｗ  Ｂｅｚｅｌ）で取り囲むこともできる。
【００２８】
すなわち、本発明は、外部の光がパネルの非表示領域に形成されている透過孔を通じてカメラレンズに流入するようにするためのもので、以下で説明するセットカバーまたはガイドフレームの端部がパネルの非表示領域の一部を取り囲んで、パネルの平面と段差が生じるように構成することもでき、セットカバーまたはガイドフレームの端部とパネルの平面が段差がないように構成することもできる。
【００２９】
したがって、以下では、説明の便宜上、セットカバーまたはガイドフレームの端部とパネルの平面とが段差がないように構成されているディスプレイ装置を本発明の一例として説明するが、段差があるディスプレイ装置の場合にも、本発明を適用することができる。
【００３０】
図２は、本発明によるディスプレイ装置を概略的に説明するための断面図で、図１に示すＡ’−Ａの切断面を示す断面図である。
【００３１】
本発明によるディスプレイ装置１０は、前記のような小型端末機に装着されて、映像を出力するモニタを形成するもので、図２に示すように、ガイドフレーム２００及びディスプレイユニット３００を含んで構成され、セットカバー１００に装着されて固定される。また、セットカバー１００とガイドフレーム２００との間、またはガイドフレーム２００とディスプレイユニットのパネル３０１との間には、カメラ４００が装着される。すなわち、本発明によるディスプレイ装置１０は、セットカバー１００によってカバーされた状態で小型端末機のモニタを形成することができる。一方、本発明によるディスプレイ装置１０は、セットカバー１００を含むものであっても良いが、以下では、セットカバーを除外したものを一例として本発明を説明する。すなわち、セットカバー１００は、ディスプレイ装置の外観をカバーするもので、実質的にはノートパソコンのモニタと共に端末機の外観を形成するものと見られる。
【００３２】
まず、セットカバー１００は、四角枠状に形成されて、ガイドフレーム２００を支持すると共に、ガイドフレーム２００の側面を取り囲むことによって、ディスプレイ装置１０をカバーする役割をする。
【００３３】
ここで、セットカバー１００は、プラスチック材質または金属材質からなることができ、セットプレート１０１及びセット側壁１０２を含んで構成される。
【００３４】
セットプレート１０１は、平板形状として製品化されたディスプレイ装置の底面カバーの役割をする。
【００３５】
セット側壁１０２は、セットプレート１０１から垂直に折り曲がって収納空間を形成する。このような、セット側壁１０２は、以下で説明するガイドフレーム２００の側面を取り囲むように形成されて、ディスプレイ装置の側面カバーの役割をする。
【００３６】
一方、セット側壁の端部は、図２に示すように、パネル３０１の平面と段差がないように形成することもでき、前記のように、パネルの平面の外郭方向から平面の内部方向に折り曲がって、平面と段差を有するように形成することもできる。
【００３７】
次に、ガイドフレーム２００は、ディスプレイユニット３００を支持する機能を遂行するもので、セットカバー１００に設けられる収納空間に収納される。このようなガイドフレーム２００は、ガイド側壁２０２、パネル支持部２０４及び下端支持部２０６を含んでおり、特に、パネル支持部のうちカメラが装着される部分には、カメラ穴２０８が形成されている。
【００３８】
ガイド側壁２０２は、セットカバー１００のセット側壁１０２と並ぶように垂直に形成され、四角フレーム形状に形成されて、ディスプレイユニット３００の側面を取り囲む。ここで、ガイド側壁２０２の上部面は、ディスプレイユニット３００の側面を取り囲み、ディスプレイユニット３００の上縁部と重ならないように外部に露出してディスプレイユニット３００の枠を形成する。
【００３９】
パネル支持部２０４は、ガイド側壁２０２からセット側壁１０２と反対の方向に突出して、ディスプレイユニット３００のうち、特にパネル３０１を支持する。すなわち、パネル支持部は、四角フレーム形状のガイド側壁２０２の４つの角にすべて形成されて、パネルを支持する。
【００４０】
パネル支持部２０４は、第１パネル支持部２０４ａ、第２パネル支持部２０４ｂ、第３パネル支持部、第４パネル支持部に区分することができる。
【００４１】
ここで、第１パネル支持部２０４ａは、図２に示すように、パネル支持部のうちカメラが配置される部分のことをいう。また、第２パネル支持部２０４ｂは、第１パネル支持部２０４ａの反対側面のことをいう。すなわち、第１パネル支持部と第２パネル支持部は、四角フレーム形状のガイド側壁２０２の４つの側壁のうち、互いに対向する側壁にそれぞれ形成されている。また、第３パネル支持部（図示せず）と第４パネル支持部（図示せず）は、四角フレーム形状のガイド側壁の残りの２つの側壁にそれぞれ形成されている。
【００４２】
前記のように構成されたパネル支持部のうち特に、カメラ４００が配置される第１パネル支持部２０４ａには、カメラ４００のレンズがパネル３０１を通じて外部に露出できるようにカメラ穴２０８が形成されている。
【００４３】
一方、図２には、第１パネル支持部２０４ａの下端にカメラを配置するものと図示されているが、第１パネル支持部とパネルとの間にカメラを配置することもでき、この場合、第１パネル支持部の形状はＵ字状に形成することができる。すなわち、図２では、第１パネル支持部が逆Ｕ字状に形成されており、第１パネル支持部の下端にカメラが配置され、第１パネル支持部にはカメラ穴が形成されているが、第１パネル支持部がＵ字状に形成された場合には、カメラが第１パネル支持部とパネルとの間に配置され、第１パネル支持部には別途のカメラ穴が形成されない。
【００４４】
ここで、カメラを配置できるように第１パネル支持部の上端または下端に形成された空間は、カメラ収納部５００という。すなわち、カメラ収納部５００は、図２に示すように、第１パネル支持部とセットプレート１０１との間に形成することもでき、第１パネル支持部とパネル３０１との間に形成することもできる。
【００４５】
すなわち、第１パネル支持部２０４ａはパネル３０１を支持する一方、カメラ４００を収納するために、ガイド側壁２０２から突出して多様な形態で形成されることができる。
【００４６】
下端支持部２０６は、パネル支持部の下端またはガイド側壁の下端からセット側壁１０２と反対の方向に突出して、パネル支持部の下端に形成されており、反射板３０７、導光板３０８、光学フィルム部３０９及び光源３５０などを支持する機能を遂行する。
【００４７】
すなわち、下端支持部２０６は、パネル支持部２０４の下端に形成されて、前記のような構成要素を支持するためのもので、カメラが収納される第１パネル支持部２０４ａから突出した場合には、図２に示すように、第１パネル支持部の端部の下部からセット側壁と反対方向に突出しており、その他には、パネル支持部の下端でガイド側壁２０２からセット側壁１０２と反対方向に突出している。
【００４８】
また、図示していないが、カメラが配置される第１パネル支持部には、カメラ収納部の左右側にカメラ収納部とほぼ同じ形態の空間をさらに形成することもでき、前記空間には、ノートパソコンに使用されるアンテナまたはアンテナワイヤーなどを配置することができる。
【００４９】
最後に、ディスプレイユニット３００は、パネル３０１、偏光板３１１、３１２、３１０、光学フィルム部３０９、導光板３０８、反射板３０７及び光源３５０を含んで構成することができる。
【００５０】
パネル３０１は、上部基板３０１ａ及び下部基板３０１ｂが接合して構成されるもので、各種素子が形成されている表示領域と表示領域の外郭に形成された非表示領域とに区分される。ここで、非表示領域は、再び第１非表示領域、第２非表示領域、第３非表示領域及び第４非表示領域に区分することができる。第１非表示領域は、第１パネル支持部２０４ａに載置される部分であり、第２非表示領域は、第２パネル支持部２０４ｂに載置される部分であり、第３非表示領域と第４非表示領域は、それぞれ第３パネル支持部と第４パネル支持部に載置される部分である。
【００５１】
前記のようなパネル３０１は、上部基板と下部基板との間に注入される液晶を、下部基板に印加される電圧を用いて駆動させることによって、光源３５０から放出された光の透過量によって映像を出力するもので、多様な形態で構成することができる。
【００５２】
光源３５０は、パネルに光を供給するためのもので、多様な種類の光源が利用可能であるが、最近は発光ダイオード（ＬＥＤ）を用いて構成している。
【００５３】
導光板３０８は、光源から出射された光を拡散及び反射させて、パネル方向に導く機能を遂行する。すなわち、導光板３０８は、図２及び図３に示すように、光源３５０が側面に形成されている側光型ディスプレイ装置に備えられ、光源から出射された光をパネル方向に反射させる機能を遂行する。
【００５４】
光学フィルム部３０９は、導光板３０８を通過した光を拡散させたり、または導光板を通過した光が液晶パネルに垂直に入射できるようにしたりするためのもので、拡散シート（ｄｉｆｆｕｓｅｒ  ｓｈｅｅｔ）、プリズムシート（ｐｒｉｓｍ  ｓｈｅｅｔ）などを含んで多様に形成することができる。
【００５５】
反射シート３０７は、導光板の底面に備えられて、光源から出射された光をパネル方向に反射させる機能を遂行する。すなわち、光源から出射されて導光板に流入した光は、導光板に形成されているパターンなどによって屈折して、パネル方向に反射するが、反射せずに導光板の底面を通じて外部に流出する光もあり得るので、反射シートは、このような光を再び反射させて、パネル方向に導く機能を遂行する。
【００５６】
偏光フィルム３１１、３１２、３１０（Ｐｏｌａｒｉｚｉｎｇ  Ｆｉｌｍ）は、液晶を含んで形成されるパネルの平面または底面に付着されるもので、パネルに印加される電圧のオン／オフ（Ｏｎ／Ｏｆｆ）によって、所望の方向成分の光のみを通過させる機能をする。
【００５７】
一方、本発明は、ディスプレイユニットのうち特に、パネルの構造に特徴があるものであって、以下では、図３乃至図１６を参照して、本発明によるディスプレイ装置の細部構成を説明する。
【００５８】
図３は、本発明の第１実施例によるディスプレイ装置の細部断面図で、図２に示したＤ部分を詳細に示すものである。
【００５９】
すなわち、図３は、本発明の第１実施例によるディスプレイ装置の細部断面図で、特にパネルの断面を細部的に示す例示図である。
【００６０】
まず、パネルは、上部基板３０１ａ、下部基板３０１ｂ、及び上部基板と下部基板との間に形成された液晶層で構成されている。
【００６１】
下部基板は、駆動素子アレイ（Ａｒｒａｙ）基板であって、図面に具体的に図示されてはいないが、下部基板には、複数の画素（ｐｉｘｅｌ）が形成されており、それぞれの画素には、薄膜トランジスタ（Ｔｈｉｎ  Ｆｉｌｍ  Ｔｒａｎｓｉｓｔｏｒ）のような駆動素子（ｄｒｉｖｉｎｇ  ｄｅｖｉｃｅ）が形成されている。
【００６２】
上部基板は、カラーフィルタ（Ｃｏｌｏｒ  Ｆｉｌｔｅｒ）基板であって、カラーを具現するためのカラーフィルタ層が形成されている。
【００６３】
また、下部基板及び上部基板には、それぞれ画素電極及び共通電極（ｃｏｍｍｏｎ  ｅｌｅｃｔｒｏｄｅ）が形成されており、液晶層の液晶分子を配向するための配向膜（ａｌｉｇｎｍｅｎｔ  ｌａｙｅｒ）が塗布されている。
【００６４】
下部基板及び上部基板は、基板の外郭に形成されたシーラント（ｓｅａｌａｎｔ）によって合着され、下部基板及び上部基板間に形成されたスペーサ（ｓｐａｃｅｒ）によって一定のセルギャップ（ｃｅｌｌ  ｇａｐ）が維持される。
【００６５】
前記のような構成を有するパネルは、下部基板に形成された駆動素子によって液晶分子を駆動して、液晶層を透過する光量を制御することによって情報を表示することになる。
【００６６】
一方、前記のように構成されたパネルのうち、下部基板は、駆動素子を形成する駆動素子アレイ基板工程によって形成され、上部基板は、カラーフィルタを形成するカラーフィルタ基板工程によって形成される。
【００６７】
駆動素子アレイ基板工程は、下部基板上に配列されて画素領域を定義する複数のゲートライン（Ｇａｔｅ  Ｌｉｎｅ）及びデータライン（Ｄａｔａ  Ｌｉｎｅ）を形成し、画素領域のそれぞれに、前記ゲートラインとデータラインに接続される駆動素子である薄膜トランジスタを形成した後、薄膜トランジスタに接続されて、薄膜トランジスタを通じて信号が印加されることによって液晶層を駆動する画素電極を形成することによってなされる。
【００６８】
カラーフィルタ基板工程は、上部基板にブラックマトリックスを形成し、その上部にカラーフィルタを形成した後、共通電極を形成することによってなされる。
【００６９】
一方、本発明の第１実施例によるディスプレイ装置に適用されるパネルの上部基板には、前記のように、ブラックマトリックス３０１ｋが塗布されており、このようなブラックマトリックスは、パネルの第１非表示領域にも形成されており、第１非表示領域に形成されているブラックマトリックスには、カメラと対応する位置に透過孔３０１ｇが形成されている。このような透過孔は、カラーフィルタ基板工程のうちエッチング工程によって形成することができる。すなわち、上部基板３０１ａ上にブラックマトリックス３０１ｋ、カラーフィルタ（図示せず）及び共通電極３０１ｃを蒸着した後、マスクによるエッチング工程によって透過孔３０１ｇを形成する。このとき、透過孔は、ブラックマトリックスが、カラーフィルタまたは共通電極と共にエッチングされて形成される。
【００７０】
また、上部基板の共通電極または平坦層には、上部基板と下部基板とのセルギャップを一定に維持させるためのスペーサが形成される。スペーサにはカラムスペーサ（ｃｏｌｕｍｎ  ｓｐａｃｅｒ）を使用するのが望ましい。このようなカラムスペーサは、パネル全体にわたって同一の密度に、所望の位置に形成され得るという特徴を有している。すなわち、所望の位置にカラムスペーサを形成することによって、上部基板と下部基板とのセルギャップが一定に維持されて、開口率が低下するのを防止できるようになる。
【００７１】
また、下部基板には、カラムスペーサと対応する突起を形成することができる。このような突起は、カラムスペーサが基板に接触するとき、押され不良を防止する機能を遂行する。
【００７２】
前記のように、上部基板で蒸着されて形成されるカラムスペーサは、下部基板に直接接触して、上部基板と下部基板とのセルギャップを維持させることもでき、突起と接触してセルギャップを維持させることもできる。
【００７３】
すなわち、カラムスペーサが形成された上部基板と、下部基板との合着によってパネルが形成される。
【００７４】
最後の工程で、パネルの縁はシール３０１ｆ（Ｓｅａｌ）によって密封され、その状態でシール注入口を通じてシール液晶が液晶層に注入された後、最終的にシール注入口を密封させることによって、パネルが完成する。
【００７５】
この時、本発明は、図３に示すように、液晶が第１非表示領域まで形成されるという特徴を有している。
【００７６】
すなわち、本発明は、第１非表示領域３０１ｄの液晶層にまで液晶を注入することによって、第１非表示領域に形成されている透過孔３０１ｇの周辺の陥没現象を防止できるという特徴を有している。
【００７７】
また、液晶の屈折率が、空気の屈折率または真空の屈折率よりもガラスの屈折率に近い。したがって、第１非表示領域３０１ｄの液晶層に液晶が注入されると、透過孔の周辺での回折現象を防止することができる。これによって、カメラによって撮影されたイメージ上での回折パターンが発生する現象を防止することができる。
【００７８】
図４は、本発明の第２実施例によるディスプレイ装置の細部断面図で、図２に示したＤ部分を詳細に示したものである。
【００７９】
本発明の第２実施例によるディスプレイ装置は、第１実施例と比較するとき、パネル内部の構成が異なるという点を除外しては、第１実施例と同一の構造で構成されているので、以下では、第１実施例の説明と重複する内容は省略したり、簡単に説明する。
【００８０】
すなわち、図４は、本発明の第２実施例によるディスプレイ装置の細部断面図で、特にパネルの断面を細部的に示した例示図である。
【００８１】
まず、パネルは、上部基板３０１ａ、下部基板３０１ｂ、及び上部基板と下部基板との間に形成された液晶層で構成されている。
【００８２】
下部基板３０１ｂの構成及び製造方法は、第１実施例の下部基板の構成及び製造方法と同一である。
【００８３】
上部基板３０１ａの構成は、第１実施例と比較するとき、第１非表示領域３０１ｄにもカラムスペーサ３０１ｈが形成されているという特徴を有している。すなわち、本発明の第２実施例は、第１非表示領域のブラックマトリックス３０１ｋに透過孔３０１ｇが形成されており、透過孔を境界としてその両側周辺にはカラムスペーサ３０１ｈが形成されている。
【００８４】
そのために、上部基板には、ブラックマトリックス、カラーフィルタ及び共通電極が順次蒸着された後、前記のような工程によって、第１非表示領域のブラックマトリックスに透過孔が形成され、その以後にカラムスペーサが透過孔の周辺に形成される。
【００８５】
最後の工程で、表示領域の縁は、第１シール３０１ｅによって密封され、その状態でシール注入口を通じてシール液晶が液晶層に注入された後、最終的にシール注入口を密封させることによって、パネルが完成する。
【００８６】
ここで、第１シール３０１ｅは、図４に示すように、第１非表示領域及び表示領域を境界に形成されている。すなわち、第１実施例では、第１非表示領域と表示領域との間にシールが形成されていない状態で、第１非表示領域にも液晶が充填されていた。しかし、第２実施例では、第１非表示領域と表示領域との間に第１シールが形成される一方、第１シールにより密封される表示領域にのみ液晶が注入される。
【００８７】
また、第１非表示領域の縁は、第２シール３０１ｆによって密封され、第２シールによって上部基板と下部基板がセルギャップを維持することになる。
一方、上部基板の製作過程で、第１非表示領域に形成された透過孔の周辺には、前記のように、少なくとも一つのカラムスペーサが形成されており、第１シールと第２シールにより密封される第１非表示領域には、図３に示すように、カラムスペーサが形成されている。
【００８８】
ここで、カラムスペーサ３０１ｈは、前記のように、上部基板の製作過程を通じて形成されるもので、第１非表示領域３０１ｄには、表示領域の下部基板に形成されている各種パターンが形成されていないため、カラムスペーサと下部基板に一定間隔が形成されているものと図示されている。
【００８９】
すなわち、表示領域に形成されるカラムスペーサは、下部基板に形成されている各画素を構成する各パターン層の高さを考慮して、その高さが計算されて蒸着されるもので、第１非表示領域のカラムスペーサもまた、表示領域のカラムスペーサと共に上部基板上に形成されるので、下部基板に画素を形成するためのパターンが形成されていない第１非表示領域では、下部基板と一定間隔で離れた形状で形成される。しかし、第１非表示領域に形成されるカラムスペーサは、表示領域のカラムスペーサとは別途の工程を通じて製作することができ、この場合、上部基板と下部基板との間のセルギャップを考慮した高さに形成されて、下部基板に接触するように形成することができる。
【００９０】
前記のように、第１非表示領域には、画素を形成する各種パターンを形成しない理由は、第１非表示領域を支持する第１パネル支持部に形成されたアンテナ収納部に収納されるアンテナの機能を向上させるためである。
【００９１】
すなわち、本発明によるディスプレイ装置の第１パネル支持部には、前記のように、カメラ収納部だけでなく、カメラ収納部の左右両側面にアンテナ収納部が形成されて、アンテナを収納することができる。したがって、アンテナが収納される場合には、下部基板の画素を形成する各種金属性分のパターンによってアンテナの性能が低下するのを防止するために、第１非表示領域の下部基板には、表示領域でのようなパターンが形成されない。
【００９２】
また、表示領域でのようなパターンが下部基板に形成される場合、カメラへの光透過のために下部基板のパターンにも別途の透過孔を形成しなければならないので、本発明は、第１非表示領域には下部基板を形成するパターンを形成していない。下部基板の製作工程上、第１非表示領域にも表示領域と同一のパターンが形成されるとしたら、第１非表示領域に形成されたパターンはエッチング工程を通じて除去することができる。
【００９３】
一方、前記のように、非表示領域に形成されている各カラムスペーサ３０１ｈは、下部基板と一定の間隔を有することになるが、実際にそのギャップは０．７７μｍ程度で、無視する水準に該当する。
【００９４】
したがって、第１非表示領域の透過孔の部分のパネルが外部の圧力によって押されても、カラムスペーサによってブラックマトリックスの陥没を防止することができ、これにより、上部基板の陥没も防止することができる。
【００９５】
また、陥没が防止されるので、上部基板３０１ａと下部基板３０１ｂとの間の間隔に変化がない。これは上部基板３０１ａと下部基板３０１ｂとの間の屈折率を変化させない。したがって、透過孔の周辺での回折現象を防止することができる。これによって、カメラによって撮影されたイメージ上で回折パターンが生じる現象を防止することができる。
【００９６】
図５は本発明によるディスプレイ装置の底面を示す平面図であり、（ａ）は、本発明の第１実施例と第２実施例の場合に実際に見える底面の形状を示したものである。また、（ｂ）は、パネル支持部２０４と下端支持部に載置されているパネルを透視して示したものであり、特に、第２実施例によって製作されたディスプレイ装置のパネル内部に形成された第１シール３０１ｅ及び第２シール３０１ｆを示している。
【００９７】
本発明の第１実施例と第２実施例によるディスプレイ装置の底面は、図５の（ａ）に示したように、外郭がガイドフレーム２００によって取り囲まれている。
【００９８】
一方、ガイドフレーム２００は、前記のように、セットカバー１００のセット側壁１０２と並ぶように垂直に形成され、四角フレーム形状に形成されて、ディスプレイユニット３００の側面を取り囲んでいるガイド側壁２０２で構成されているが、このようなガイド側壁は、図５の（ａ）で見える面の反対方向に突出しているため、図面上に図示されていない。
【００９９】
パネル支持部２０４は、ガイド側壁からセットカバーと反対方向に突出して、パネルを支持するためのもので、特に、カメラが配置されるカメラ収納部５００が形成されている第１パネル支持部２０４ａには、カメラ穴２０８が形成されている。
【０１００】
すなわち、第１パネル支持部２０４ａの中央部分には、カメラを収納できるカメラ収納部５００が形成され、カメラ収納部が形成されている第１パネル支持部には、カメラ穴２０８が形成されており、外部から偏光フィルムの第１外郭部及びパネルとカメラ穴２０８を通じて流入した光がカメラに流入することができる。
【０１０１】
下端支持部２０６は、パネル支持部と段差を有する状態で形成されて、パネルの下端に配置される導光板、光源、反射板、光学フィルム部などを支持する。このとき、図２に示したように、反射板３０７が最下端に配置されるので、図５の（ａ）では、下端支持部２０６に反射板３０７が載置されている状態で図示されている。
【０１０２】
一方、前記では、ディスプレイユニットが導光板と光源などを含む液晶表示装置であるものとして、本発明によるディスプレイ装置を説明したが、本発明はこれに限定されない。したがって、ディスプレイユニットは、プラズマディスプレイパネル、電界放出表示装置、発光表示装置などで構成することができる。
【０１０３】
また、図５の（ｂ）は、本発明の第２実施例によるディスプレイ装置の底面を示したもので、前記のように、図５の（ａ）に示された図面で、パネル支持部２０４と下端支持部２０６に支持されているパネルを透視図で示したものである。したがって、図５の（ｂ）には、第２実施例に適用されるパネルの内部に形成されている第１非表示領域の透過孔３０１ｇと、第１シール３０１ｅ及び第２シール３０１ｆが示されている。
【０１０４】
すなわち、第２シールはパネルの最外郭に形成されるもので、パネル全体の最外郭に形成されており、第１シールはパネルの第１非表示領域３０１ｄと表示領域を境界に形成されている。
【０１０５】
図６は、本発明の第３実施例によるディスプレイ装置の細部断面図で、図２に示されたＤ部分を詳細に示したものである。
【０１０６】
本発明の第３実施例によるディスプレイ装置は、パネルの表示領域と第１非表示領域とを分離させるための第１シール３０１ｅが形成されており、第１非表示領域には液晶が充填されていないという点を除外しては、第１実施例と同一の構造で構成されている。また、本発明の第３実施例によるディスプレイ装置は、第１非表示領域にカラムスペーサが形成されていないという点を除外しては、第２実施例と同一の構造で構成されている。したがって、以下では、第１実施例または第２実施例の説明と重複する内容は省略したり、簡単に説明する。また、図６の（ａ）及び（ｂ）は、ガイドパネルの構造が異なるだけで、その機能は同一である。
【０１０７】
まず、図６の（ａ）は、第１実施例と比較してみるとき、第１非表示領域３０１ｄ及び表示領域が第１シール３０１ｅによって密封されており、第１シール３０１ｅと第２シール３０１ｆによって密封される第１非表示領域３０１ｄには液晶が充填されていないという特徴を有している。
【０１０８】
また、第２実施例と比較するとき、第１非表示領域にカラムスペーサを形成していないという特徴を有している。
【０１０９】
次に、図６の（ｂ）は、（ａ）に示された本発明と比較してみるとき、カメラ収納部が形成される第１パネル支持部の構造が異なるという点を除外しては、（ａ）に示された第３実施例と同一の構造及び機能を遂行している。
【０１１０】
すなわち、上記で図２を参照して第１実施例を説明する中で言及したように、第１パネル支持部２０４ａは逆Ｕ字状に形成されたり、またはＵ字状に形成することもでき、図６の（ａ）は逆Ｕ字状に形成されている第１パネル支持部を示し、図６の（ｂ）はＵ字状に形成されている第１パネル支持部を示している。
【０１１１】
一方、本発明の第３実施例は、第１パネル支持部の接触によるパネルでのリップル（ｒｉｐｐｌｅ）現象を防止するためのものである。
【０１１２】
すなわち、図６の（ａ）及び（ｂ）に示された第３実施例は、パネルの下端に配置されるガイドフレームとの干渉によって生じられるリップルを防止するためのものである。
【０１１３】
詳細に説明すると、本発明の第３実施例は、上部基板に蒸着されているブラックマトリックスのうち、カメラと対応する部分に形成された透過孔の周辺を含む非表示領域を、第１シール３０１ｅを通じて隔離させる一方、非表示領域３０１ｄには液晶を注入しないことによって、パネルの下端でパネルを支持している第１パネル支持部によって、パネルにリップルが生じる現象を防止できるという効果を提供する。
【０１１４】
前記のような機能は、第１パネル支持部が（ｂ）のように、Ｕ字状に形成される場合に、その効果を極大化することができる。すなわち、図６の（ｂ）の場合、第１パネル支持部がＵ字状に形成されているため、透過孔の周辺を含む第１非表示領域が第１パネル支持部と接触されない。これによって、第１非表示領域と第１パネル支持部との間の干渉が発生しない。したがって、リップル現象も発生しない。
【０１１５】
以下では、図７乃至図１６を参照して、本発明の第４実施例によるディスプレイ装置を説明する。
【０１１６】
図７は、本発明の第４実施例によるディスプレイ装置に適用されるパネルの平面図であり、図２に示されたディスプレイ装置のパネル３０１の平面を示したものである。また、図８は、本発明の第４実施例によるディスプレイ装置の細部断面図であり、図２のＤ部分を詳細に示したものであり、特に、図８に示されたパネル３０１の断面は、図７に示されたＢ−Ｂ’部分の断面を示したものである。
【０１１７】
本発明の第４実施例によるディスプレイ装置に適用されるパネルは、上部基板３０１ａと下部基板３０１ｂが、その間に液晶が充填されている状態で接合しているもので、上部基板と下部基板との間の液晶層は、パネルの外郭に形成されているシールにより密封されている。
【０１１８】
一方、本発明に適用されるパネルは、前記のように、各種素子が形成されており、映像が表示される表示領域３６０と、表示領域の外郭に形成された非表示領域とに区分することができる。ここで、シールは、パネルの非表示領域においてパネルの外郭に四角形の形態に形成されて、上部基板と下部基板との間を密封させる第２シール乃至第５シール３０１ｆ、３０１ｍ、３０１ｎ、３０１ｐ、及び第１非表示領域３０１ｄと表示領域３６０との間に形成されている第１シール３０１ｅに区分することができる。
【０１１９】
すなわち、第２シール乃至第５シール３０１ｆ、３０１ｍ、３０１ｎ、３０１ｐは、パネルの４つの側面の最外郭に形成されるもので、パネル全体の最外郭に形成されており、第１シール３０１ｅは、パネルの第１非表示領域３０１ｄと表示領域３６０を境界に形成されている。
【０１２０】
また、第１非表示領域３０１ｄには、外部から流入した光がカメラレンズに流入できるようにするために、ブラックマトリックス３０１ｋが除去された状態の透過孔３０１ｇが形成されている。
【０１２１】
一方、第１シール３０１ｅは、図７の拡大された円部分に示されているように、透過孔の周辺（以下、単に‘透過部'という）を取り囲んでいる形態で構成することができる。すなわち、図７で透過部を取り囲んでいる第１シールは、第２シールと連結されており、透過部は、第１非表示領うち透過部を除外した部分（以下、簡単に‘真空部'という）とは遮断されており、表示領域とは貫通している。
【０１２２】
したがって、第１シール３０１ｅと第３シール乃至第５シール３０１ｍ、３０１ｎ、３０１ｐによって密封された状態の上部基板と下部基板との間（液晶層）に液晶を充填させると、透過部にも液晶が充填される。このとき、真空部は、真空状態で第１シールと第２シールにより密封される。
【０１２３】
一方、前記のような構成は、本発明の第４実施例による液晶表示装置の断面を示した図８を通じて確認することができる。ここで、図８に示された断面は、図７のＢ−Ｂ'方向の断面を含むパネルが装着されている本発明によるディスプレイ装置を示したもので、特に、図２のＤ部分の断面を詳細に示したものである。
【０１２４】
すなわち、図７及び図８に示されたように、本発明に適用されるパネルは、上部基板３０１ａ、下部基板３０１ｂ、及び上部基板と下部基板との間に形成された液晶層で構成されている。
【０１２５】
上部基板３０１ａ、下部基板３０１ｂ及び液晶層に対する説明は、上記の通りなので省略する。
【０１２６】
一方、図７及び図８で、第２シール３０１ｆは、パネルの第１非表示領域３０１ｄの外郭に形成されたシールを示しており、第１シール３０１ｅは、パネルの表示領域３６０と第１非表示領域３０１ｄの境界に形成されたシールを示している。
【０１２７】
ここで、第１シール３０１ｅは、図７に示されたように、第３シール３０１ｍ及び第４シール３０１ｎから第２シール３０１ｆに平行な方向に延びて形成され、透過部を取り囲むように第２シール方向に折り曲がって第２シールと連結されている。一方、図８は、図７でＢ−Ｂ'方向の切断面を示しているので、図８では第１シール３０１ｅが点線で示されている。
【０１２８】
また、前記のように、透過部は、第１シール及び第２シールの一部分によって密封されているので、液晶が充填されることができ、透過部を除外した第１非表示領域の真空部は、真空状態で第１シール及び第２シールにより密封される。
【０１２９】
一方、本発明が、前記のように透過部を液晶によって充填させる理由は、液晶の散乱（Ｓｃａｔｔｅｒｉｎｇ）特性を用いて、透過孔３０１ｇを通過した光の回折による同心円状の回折パターンを相殺させるためである。
【０１３０】
すなわち、カメラによって撮影されたイメージ上に生じる同心円状の回折パターンと、パネルの外観上に見えるスペクトルムラ（Ｓｐｅｃｔｒｕｍ  Ｍｕｒａ）は、透過孔を通過した光の回折によって生じるところ、本発明は、透過孔とカメラレンズとの間の透過部に液晶を充填させることによって、液晶の散乱効果（Ｓｃａｔｔｅｒｉｎｇ）を用いて、前記のような問題点を解決している。
【０１３１】
特に、液晶は、上部基板及び下部基板を形成するガラス（Ｇｌａｓｓ）の屈折率（ｎ＝１．５１）と類似した屈折率（ｎ＝１．５４）を有しているので、回折現象がより減衰することができ、これによって、前記のようなイメージ上での回折パターン及びパネル前面でのスペクトルムラがより減少することができる。
【０１３２】
一方、透過部を取り囲んでいる第１シールの形態は、図７及び図８に示された形態の他にも多様に形成することができる。
【０１３３】
図９乃至図１３は、本発明の第４実施例によるディスプレイ装置のパネルに形成される第１シールの多様な例示図で、透過部の周辺のシールパターンの多様な例示を、図７の拡大された円の形態で示したものである。
【０１３４】
まず、図９に示された第１シール３０１ｅは、第３シール及び第４シールから第２シールと平行に延びた後、透過部の周縁を取り囲む形態で構成されている。
【０１３５】
すなわち、図７に示された透過部が、第１シールと、第２シールの一部分によって取り囲まれた形態であるとすれば、図９に示された透過部は、第１シール３０１ｅのみで取り囲まれた形態で構成されている。
【０１３６】
次に、図１０に示された第１シールは、第３シール及び第４シールから第２シールと平行に延びた後、透過部を取り囲む形態で構成されており、このとき、第２シール３０１ｆと隣接している第１シール３０１ｅが第２シールと重なるように形成されている。
【０１３７】
すなわち、図７に示された透過部が、透過部の一側が第２シールのみを用いて取り囲まれている形態であるとすれば、図１０に示された透過部は、第１シールのみで取り囲まれており、ただし、第２シールと隣接している部分は、第１シール３０１ｅが第２シール３０１ｆと重なった形態で構成されている。
【０１３８】
次に、図１１に示された第１シールは、図７に示された第１シールと同一の構造で形成され、追加的に、透過部と示領域間との間にも第１シールを形成するように構成されている。
【０１３９】
すなわち、図１１に示された透過部は、第１シール３０１ｅ及び第２シール３０１ｆの一部分によって、表示領域及び真空部と隔離された形態で構成されている。
【０１４０】
次に、図１２に示された第１シールは、図９に示された第１シールと同一の構造で形成され、追加的に、透過部と示領域との間にも第１シールを形成するように構成されている。
【０１４１】
すなわち、図１２に示された透過部は、第１シールによって、表示領域及び真空部と隔離された形態で構成されている。
【０１４２】
次に、図１３に示された第１シールは、図１０に示された第１シールと同一の構造で形成され、追加的に、透過部と示領域との間にも第１シールを形成するように構成されている。
【０１４３】
すなわち、図１３に示された透過部は、第１シール３０１ｅ及び、第１シールと第２シール３０１ｆの重なる部分によって、表示領域及び真空部と隔離された形態で構成されている。
【０１４４】
一方、前記のような各構成のうち、図７乃至図１０に示された第１シールによっては透過部が表示領域と貫通している。したがって、図７乃至図１０に示されたパネルの場合には透過部に液晶のみが充填されることができる。
【０１４５】
しかし、図１１乃至図１３に示された第１シールによっては、透過部が表示領域及び真空部のいずれとも隔離されて密封されている。したがって、図１１乃至図１３に示されたパネルの場合には透過部に液晶以外の充填物質を充填することができる。
【０１４６】
まず、図１１乃至図１３に示されたパネルの透過部には、液晶が充填物質として充填される。すなわち、液晶層に液晶を注入する方法のように、透過部を取り囲んでいる第１シールに注入口を形成し、液晶を注入した後、封止することができる。
【０１４７】
この場合、透過部に異物が集中する現象を防止することができる。すなわち、図７乃至図１０に示されたパネルに液晶を注入する場合、上部基板と下部基板との間に残存していた異物が、透過部の方向に寄り集まる現象が発生することがあり、これによって、透過部に異物が集中して、光の透過率が低下することもあるが、図１１乃至図１３に示されたパネルの場合には、透過部が独立的に密封されているので、前記のような現象が発生しない。
【０１４８】
次に、図１１乃至図１３に示されたパネルの透過部には、上部基板及び下部基板を形成するガラス材質と類似した屈折率を有する液体または気体を充填することができる。
【０１４９】
すなわち、ガラスは、前記のように、約１．５１の屈折率を有しているが、下記の表1に示されたように、１．５１の屈折率と類似した屈折率を有する液体、気体または固体状態の多様な物質３０１ｒ（以下、単に‘充填物質'という）を充填することができる。
【０１５０】
【表１】
0005623377.tif 000002
【０１５１】
一方、前記のような充填物質３０１ｒが、液体または気体の場合は、液晶注入方法のように、透過部を形成する第１シールに注入口を形成し、液体または気体状態の充填物質を注入した後、封止することができる。
【０１５２】
また、充填物質が固体の場合は、透過部の形状と一致するよう加工された充填物質を透過部に位置させる方法を用いることができる。すなわち、第１シールにより密封された透過部は、液晶層のような完全な密封が要求されるものではないので、透過部を形成する第１シールに注入口を形成して、固体状態の充填物質を注入させた後、最終的に透過部の第１シールを密封させることができる。
【０１５３】
すなわち、前記のように、第１シールにより密封された投入部に、液体、固体または気体状態の充填物質を注入する方法は、ガラスの屈折率と類似した屈折率を有する充填物質によって、投入口を通過した光の屈折を最小化させて、光の回折現象を最小化するためのもので、これを通じて、パネルの表面に見えるスペクトルムラを減少させて視認性を改善する一方、撮影されたイメージでの同心円状の回折パターンを除去することができる。
【０１５４】
一方、前記のような充填物質３０１ｒの屈折率は、回折特性などを考慮するとき、１．３乃至１．７の間の値を有することが望ましい。
【０１５５】
図１４は、本発明の第４実施例によるディスプレイ装置のまた他の細部断面図で、図２のＤ部分を詳細に示したものである。また、図１５は、本発明の第４実施例によるディスプレイ装置に適用されるパネルのまた他の平面図で、図１４に示された第１非表示領域を、図９乃至図１３のような形態で示した例示図である。
【０１５６】
本発明の第４実施例によるディスプレイ装置のまた他の形態は、図１４に示されたように、パネルの表示領域３６０と第１非表示領域３０１ｄとを分離させるための第１シール３０１ｅが形成されており、第１非表示領域には液晶が充填されておらず（真空状態）、ブラックメトリックス３０１ｋが除去されて形成される透過孔３０１ｇには、表示領域に形成されるカラムスペーサ３０１ｓと同一の構造の透過孔カラムスペーサ３０１ｔが形成されている。
【０１５７】
ここで、透過孔カラムスペーサ３０１ｔは、図１１乃至図１３を参照して説明した固体充填物質に該当することができる。すなわち、透過孔カラムスペーサは、ガラスの屈折率とほぼ同じ物質で構成されて、透過孔を通過した光の回折を減少させて、スペクトル形態の同心円を除去する機能を遂行することができる。
【０１５８】
このような透過孔カラムスペーサは、表示領域に形成されるカラムスペーサ３０１ｒと同時に形成することができ、この場合、ハーフトーンマスク（Ｈａｌｆｔｏｎｅ  Ｍａｓｋ）を用いて、透過孔カラムスペーサ３０１ｔを表示領域のカラムスペーサよりも高く形成することによって、透過孔カラムスペーサが上部基板及び下部基板に接着するように形成することができる。しかし、上部基板と下部基板との間隔が狭いため、透過孔カラムスペーサが表示領域のカラムスペーサと同一の手順によって同一の高さに形成されても良い。
【０１５９】
一方、前記説明では、図１５に示されたように、透過孔の周辺の透過部が第１シールによって取り囲まれていない状態で、透過部に透過孔カラムスペーサが形成されるものと説明したが、透過孔カラムスペーサは、図７乃至図１１に示されたような多様な形態の透過部に形成することもできる。
【０１６０】
すなわち、透過孔カラムスペーサ３０１ｔは、図７乃至図１０に示されたように、透過部が表示領域とは貫通するように、第１シールによって取り囲まれた状態で形成することもでき、図１１乃至図１３に示されたように、表示領域及び真空部のいずれとも隔離されて密封された状態で形成することもできる。
【０１６１】
したがって、図７乃至図１０に示されたような透過部に透過孔カラムスペーサが形成される場合には、透過部に液晶が充填される。
【０１６２】
図１６は、本発明の第４実施例によるディスプレイ装置のまた他の細部断面図で、図７乃至図１５で説明した本発明によるディスプレイ装置と比較するとき、第１パネル支持部２０４ａの構造のみが異なるだけで、その構成は同一である。したがって、以下では、上記で説明した内容と重複する内容は省略したり、簡単に説明する。
【０１６３】
すなわち、図１６に示された本発明によるディスプレイ装置は、図７乃至図１４に示された本発明と比較するとき、カメラ収納部が形成される第１パネル支持部２０４ａの構造が異なるという点を除外しては、上記で説明した本発明と同一の構造及び機能を遂行している。
【０１６４】
すなわち、前記で図２を参照して本発明を説明する中で言及したように、第１パネル支持部２０４ａは逆Ｕ字状に形成されたり、またはＵ字状に形成することができ、図１６は、Ｕ字状に形成されている第１パネル支持部を示している。
【０１６５】
したがって、図１６に示された本発明によるディスプレイ装置は、第１パネル支持部を除外しては、図７乃至図１５に示された本発明の構造と同一であるところ、透過部は、前記のような多様な形態で構成することができる。
【０１６６】
すなわち、本発明の第４実施例によるディスプレイ装置は、パネル３０１の内部に形成される透過部を多様な種類の充填物質で充填させて、カメラによって撮影されたイメージ上での回折パターン及びパネルの平面に見えるスペクトルムラを減少させることに特徴があるもので、透過部の構造は、前記したように多様な形態で製造することができる。
【０１６７】
詳細に説明すると、透過孔を通過した光は、回折によって同心円状の回折パターンを発生させるので、透過孔の周辺には肉眼に見えるスペクトルムラが発生しており、カメラで撮影されたイメージ上にも同心円状の回折パターンが生じているが、本発明の第４実施例によるディスプレイ装置は、透過孔の周辺の透過部をシールによって密封させた後、多様な種類の充填物質を充填させて、前記のような回折現象を防止することによって、肉眼に見えるスペクトルムラ及びカメラで撮影されたイメージ上での回折パターンを除去するという特徴を有している。
【０１６８】
このための具体的な方法として、本発明の第４実施例によるディスプレイ装置は、大きく２つの方法を利用している。
【０１６９】
第１の方法は、液晶のように散乱特性を有する充填物質を透過部に充填させることによって、透過孔を通過してカメラのレンズに向かう光を散乱させる方法である。
【０１７０】
第２の方法は、パネルを形成する基板の材質であるガラスの屈折率と類似した屈折率を有する固体、液体、気体の充填物質を透過部に充填させることによって、透過孔を通過してカメラのレンズに向かう光の屈折及び回折現象を減少させる方法である。このとき、固体としては、上部基板と下部基板とのセルギャップを維持するカラムスペーサのような形態の透過孔カラムスペーサが適用でき、液体のガラス材質が透過部に注入された後に凝固して適用される。また、固体状態のガラス材質自体を透過部に付着させることもできる。
【０１７１】
一方、本発明の第４実施例によるディスプレイ装置は、前記のような多様な状態の充填物質を透過部に充填させるために、透過部の周縁をシールを用いて多様な形態で密封させている。
【０１７２】
また、本発明の第４実施例によるディスプレイ装置は、前記のように、透過孔の周辺をシールで取り囲んだり、または透過孔の周辺を充填物質で充填させることによって、透過孔の周辺が陥没されない。したがって、透過孔と隣接している表示領域にムラが生じるという問題点を防止することができる。
【０１７３】
本発明の属する技術分野における当業者は、本発明がその技術的思想や必須の特徴を変更せずに他の具体的な形態で実施できるということを理解できる。したがって、以上記述した実施形態は、すべての面で例示的なものであり、限定的なものではないと理解しなければならない。本発明の範囲は、前記詳細な説明よりは、後述する特許請求の範囲によって示され、特許請求の範囲の意味及び範囲、そしてその等価概念から導かれるすべての変更又は変形された形態が本発明の範囲に属するものと解釈しなければならない。
【符号の説明】
【０１７４】
１０    ディスプレイ装置
１００    セットカバー
２００    ガイドフレーム
３００    ディスプレイユニット
４００    カメラ
５００    カメラ収納部
【図１】
0005623377.tif 000003
【図２】
0005623377.tif 000004
【図３】
0005623377.tif 000005
【図４】
0005623377.tif 000006
【図５】
0005623377.tif 000007
【図６】
0005623377.tif 000008
【図７】
0005623377.tif 000009
【図８】
0005623377.tif 000010
【図９】
0005623377.tif 000011
【図１０】
0005623377.tif 000012
【図１１】
0005623377.tif 000013
【図１２】
0005623377.tif 000014
【図１３】
0005623377.tif 000015
【図１４】
0005623377.tif 000016
【図１５】
0005623377.tif 000017
【図１６】
0005623377.tif 000018